(57)【特許請求の範囲】
【請求項１】
リブを有する複数のサブコネクタと、
前記各サブコネクタを収容可能な複数の収容凹部を有するとともに、前記収容凹部に連通する凹溝を有するボディハウジングと、
前記ボディハウジングから引き出された電線を覆うようにして前記ボディハウジングに装着され、前記ボディハウジング側に突出する突片を有する電線カバーとを備え、
前記リブが前記各サブコネクタ毎に異なる配置で構成され、
前記サブコネクタが正規の前記収容凹部に収容された場合に、前記リブが前記凹溝内に挿入され、かつその状態で前記ボディハウジングに前記電線カバーが装着されると、前記凹溝内に前記リブと並んで前記突片が挿入されることで、前記電線カバーの開き止めがなされ、
前記サブコネクタが正規とは異なる前記収容凹部に収容された場合に、前記リブが前記凹溝内に挿入され、かつその状態で前記ボディハウジングに前記電線カバーが装着されようとすると、前記凹溝内に挿入された前記リブに前記突片が干渉することで、前記ボディハウジングに対する前記電線カバーの装着動作が停止されることを特徴とするコネクタ。
【請求項２】
前記サブコネクタの外面と前記収容凹部の内面とには、前記サブコネクタが前記収容凹部に対して正逆反転した姿勢で収容されるのを防止する逆挿防止部が形成されている請求項１記載のコネクタ。
【発明の詳細な説明】
【技術分野】
【０００１】
本発明は、コネクタに関する。
【背景技術】
【０００２】
特許文献１に開示のコネクタは、複数のサブコネクタと、各サブコネクタを収容可能な複数の収容凹部を有するボディハウジングと、ボディハウジングから引き出された電線を覆うようにしてボディハウジングに装着される電線カバーとを備えている。
【０００３】
各サブコネクタが収容凹部に挿入された後、ボディハウジングに電線カバーが装着され、その状態で電線カバーがボディハウジングの後面に沿ってスライドされることにより、電線カバーがボディハウジングに固定される。この場合に、サブコネクタが収容凹部に半挿入状態のままで留め置かれていると、サブコネクタの後端部に電線カバーが突き当たり、さらなる電線カバーのスライド動作に伴い、サブコネクタが正規位置まで押し込まれるようになっている。
【先行技術文献】
【特許文献】
【０００４】
【特許文献１】特許第４３０６６０８号公報
【発明の概要】
【発明が解決しようとする課題】
【０００５】
ところで、仮に、各サブコネクタの構造が互いに異なる場合には、各サブコネクタを構造的に区別して収容凹部に挿入しなければならない。その場合、サブコネクタにリブを設けるとともに、収容凹部に凹溝を設け、サブコネクタが正規の収容凹部に対する場合は、リブが凹溝内に挿入されて、サブコネクタの挿入動作が許容され、サブコネクタが正規とは異なる収容凹部に対する場合は、リブが凹溝内に挿入されずに、サブコネクタの挿入動作が阻止される構成にすることができる。
【０００６】
しかし、上記構成としても、収容凹部に不正姿勢のサブコネクタを無理やり押し込めば、リブが収容凹部の壁を膨出させつつその内部に入り込み、収容凹部内にサブコネクタが正規深さで挿入されるおそれがある。
【０００７】
本発明は上記のような事情に基づいて完成されたものであって、サブコネクタの誤組付けを確実に防止することを目的とする。
【課題を解決するための手段】
【０００８】
上記の目的を達成するための手段として、請求項１の発明は、リブを有する複数のサブコネクタと、前記各サブコネクタを収容可能な複数の収容凹部を有するとともに、前記収容凹部に連通する凹溝を有するボディハウジングと、前記ボディハウジングから引き出された電線を覆うようにして前記ボディハウジングに装着され、前記ボディハウジング側に突出する突片を有する電線カバーとを備え、前記リブが前記各サブコネクタ毎に異なる配置で構成され、前記サブコネクタが正規の前記収容凹部に収容される場合に、前記リブが前記凹溝内に挿入され、かつその状態で前記ボディハウジングに前記電線カバーが装着されると、前記凹溝内に前記リブと並んで前記突片が挿入されることで、前記電線カバーの開き止めがなされ、前記サブコネクタが正規とは異なる前記収容凹部に収容された場合に、前記リブが前記凹溝内に挿入され、かつその状態で前記ボディハウジングに前記電線カバーが装着されようとすると、前記凹溝内に挿入された前記リブに前記突片が干渉することで、前記ボディハウジングに対する前記電線カバーの装着動作が停止されるところに特徴を有する。
【０００９】
請求項２の発明は、請求項１に記載のものにおいて、前記サブコネクタの外面と前記収容凹部の内面とには、前記サブコネクタが前記収容凹部に対して正逆反転した姿勢で収容されるのを防止する逆挿防止部が形成されているところに特徴を有する。
【発明の効果】
【００１０】
＜請求項１の発明＞
リブが凹溝内に挿入され、サブコネクタが正規とは異なる収容凹部に収容され得るものの、その状態でボディハウジングに電線カバーが装着されようとすると、凹溝内に挿入されたリブに突片が干渉することで、ボディハウジングに対する電線カバーの装着動作が停止されるため、電線カバーが装着不能になることをもって、サブコネクタが誤組付け状態にあることを確実に知ることができる。また、サブコネクタが正規の装着姿勢をとる場合は、凹溝がリブと突片とで共用されるため、ボディハウジングの構成が簡素化される。
【００１１】
＜請求項２の発明＞
サブコネクタの外面と収容凹部の内面とに逆挿防止部が形成されているため、サブコネクタが正逆反転した姿勢で収容凹部に収容される事態が回避される。
【図面の簡単な説明】
【００１２】
【図１】本発明の実施形態１に係るコネクタの背面図である。
【図２】ボディハウジングの背面図である。
【図３】ボディハウジングの正面図である。
【図４】サブコネクタの断面図である。
【図５】ホルダの背面図である。
【図６】ホルダの側面図である。
【図７】ホルダの平面図である。
【図８】ホルダの正面図である。
【図９】サブハウジングの底面図である。
【図１０】サブハウジングの正面図である。
【図１１】サブハウジングの背面図である。
【図１２】サブハウジングの側面図である。
【図１３】サブハウジングに不正姿勢のホルダが装着されない状態を示す断面図である。
【図１４】ボディハウジングに電線カバーが装着される前の状態を示す平面図である。
【図１５】ボディハウジングに電線カバーが装着された状態を示す要部破断平面図である。
【発明を実施するための形態】
【００１３】
＜実施形態１＞
本発明の実施形態１を図１ないし図１５によって説明する。実施形態１に係るコネクタは、ボディハウジング１０、サブコネクタ３０、及び電線カバー７０を備えている。サブコネクタ３０は、サブハウジング３１、一括ゴム栓４０、及びホルダ５０を有している。コネクタは、相手コネクタ（図示せず）に嵌合可能とされている。なお、以下の説明において、前後方向については相手コネクタに対する嵌合面側を前方とし、上下方向については図１を基準とする。
【００１４】
ボディハウジング１０は合成樹脂製であって、図１ないし図３に示すように、全体として大型の角箱状をなしている。ボディハウジング１０の後面には、上下三段でかつ幅方向に複数列の収容凹部１１が開口して形成されている。各収容凹部１１は、相互の開口形状を異にして構成され、その内部に、後方からサブコネクタ３０を収容可能とされている。また、収容凹部１１の開口縁は、その幅方向両端側における上下両角部の形状を異にして構成されている。具体的には、収容凹部１１の開口縁の上下両角部のうち、一方の角部は大きな曲率半径を有する第一曲面部１２とされ、他方の角部は小さな曲率半径を有する第二曲面部１３とされる。
【００１５】
各収容凹部１１の幅方向両側面には、一対のハウジングロック部１４が撓み可能に形成されている。各収容凹部１１の前面は前壁１５によって閉止されている。前壁１５には、各収容凹部１１の幅方向両側と対応する位置に、複数の窓部１６が開口して形成されている。ハウジングロック部１４の前端部は、窓部１６を通して前方から目視可能とされている。また、前壁１５には、複数のタブ挿入孔１７が開口して形成されている。各タブ挿入孔１７には、相手コネクタに装着された相手端子金具の雄タブ（図示せず）が前方から挿入可能とされている。また、ボディハウジング１０の下端部の幅方向一側には、収容凹部１１とは別に、キャビティ群１８が形成されている。キャビティ群１８には、複数のキャビティ１９が整列して形成されている。各キャビティ１９には、後方から大型の端子金具（図示せず）が挿入可能とされている。
【００１６】
また、収容凹部１１の周りは周壁２０で取り囲まれている。周壁２０の後面には、収容凹部１１毎に、複数のリブ受け溝２１が切り欠き形成されている。各リブ受け溝２１は、断面矩形状をなし、対応する収容凹部１１に複数開口するとともに、前後方向に延出する形態とされている。各リブ受け溝２１のうち、下段の収容凹部１１に開口するリブ受け溝２１は、一つを除いて中段の収容凹部１１にも開口し、中段の収容凹部１１に開口するリブ受け溝２１は、上段の収容凹部１１にも開口している。また、上段の収容凹部１１に開口するリブ受け溝２１は、ボディハウジング１０の上面にも開口している。
【００１７】
ボディハウジング１０の後面の上下両端部には、一対ずつの凹溝２２が開口して形成されている。各凹溝２２は、リブ受け溝２１よりも幅方向に細長く延出するとともに、前後方向に延出する形態とされている。各凹溝２２のうち、ボディハウジング１０の下端部の幅方向一側に配置された凹溝２２は、キャビティ群１８の下端に沿って配置され、残りの凹溝２２は、リブ受け溝２１が開口しない収容凹部１１（上段の幅方向両側及び下段の幅方向他側に配置された収容凹部１１）に開口する形態とされている。
【００１８】
本実施形態の場合、収容凹部１１におけるリブ受け溝２１又は凹溝２２の配設位置は、収容凹部１１毎に異なっている。また、各凹溝２２は、ボディハウジング１０の幅方向中央を挟んだ両側にほぼ対称位置に配置されている。
【００１９】
ボディハウジング１０の上下両面には、各凹溝２２よりも幅方向中央寄りの位置に、上下一対ずつのカバーロック部２３が突出して形成されている。各カバーロック部２３には、電線カバー７０のロック脚７３（後述する）が弾性的に係止可能とされている。
【００２０】
サブコネクタ３０は、各収容凹部１１に適合可能な複数種で構成され、合成樹脂製のサブハウジング３１を有している。サブハウジング３１の内部には、図４に示すように、複数のキャビティ３２が幅方向に並んで形成されている。各キャビティ３２内には、後方から端子金具１００が挿入可能とされている。端子金具１００は電線２００の端末部に接続されている。各キャビティ３２内に端子金具１００が挿入されると、各電線２００がサブコネクタ３０の後面から後方へ引き出される。
【００２１】
サブハウジング３１の下面には、図９に示すように、幅方向に延びて全キャビティ３２に通じる装着孔３３が開口して形成されている。装着孔３３にはリテーナ３００が挿入される。リテーナ３００は装着孔３３に浅く挿入される仮係止位置と装着孔３３に深く挿入される本係止位置との間を移動可能とされている。仮係止位置では、リテーナ３００がキャビティ３２から退避して、端子金具１００のキャビティ３２内への挿抜が許容され、本係止位置では、リテーナ３００がキャビティ３２内に進入して、端子金具１００のキャビティ３２からの抜け止めがなされる。
【００２２】
サブハウジング３１の幅方向両側面には、図１１及び図１２に示すように、一対のガイド溝３４が前後方向に延出して形成されている。サブハウジング３１の幅方向両側面におけるガイド溝３４内の前端部には、ロック突部３５が形成されている。ロック突部３５は、上下に分断された形態とされ、その間に、治具挿入溝３６が形成されている。サブコネクタ３０が収容凹部１１に収容される過程では、ガイド溝３４に前方からハウジングロック部１４が挿入案内される。サブコネクタ３０が収容凹部１１に正規深さで収容されると、ハウジングロック部１４がロック突部３５を弾性的に係止して、収容凹部１１に抜け止め保持される。一方、サブコネクタ３０を収容凹部１１から抜き取る際には、ボディハウジング１０の窓部１６を介して治具挿入溝３６に治具（図示せず）を進入させ、治具の先端部でハウジングロック部１４をロック解除方向に撓み変形させ、その状態でサブハウジング３１を後方へ引き抜くようにする。
【００２３】
また、サブハウジング３１の幅方向両側面には、一対のロック受け部３７が凹み形成されている。各ロック受け部３７は、ガイド溝３４を区画する上下両壁３８を切り欠きつつサブハウジング３１の上下両面にも開口する形態とされている。また、各ロック受け部３７は、相互の開口形状を異にして構成されている。具体的には、各ロック受け部３７の後端が、前後方向について互いに同じ位置に配置され、各ロック受け部３７の前端が、前後方向について互いに異なる位置に配置されている。そして、一方のロック受け部３７Ａは、他方のロック受け部３７Ｂよりも大きい開口寸法を有し、その前端が装着孔３３の直後方に位置している。
【００２４】
また、サブハウジング３１の幅方向他側面におけるガイド溝３４内には、他方のロック受け部３７Ｂの直前方に、別の壁部３８が突出して形成されている。別の壁部３８は、ロック突部３５とほぼ同じ突出寸法を有している。別の壁部３８の前方には治具挿入溝３６が位置しており、治具挿入溝３６を成形するためのスライド型によって別の壁部３８の前面が成形される。
【００２５】
サブハウジング３１の後方には、一括ゴム栓４０が配置される。一括ゴム栓４０は、シリコンゴム等のゴム製であって、幅方向に細長いゴム栓本体部４１を有している。ゴム栓本体部４１は、サブハウジング３１の後面に密着可能とされている。そして、ゴム栓本体部４１には、各キャビティ３２と対応する位置に、複数の電線密着孔４２が開口して形成されている。各電線密着孔４２には、各端子金具１００に接続された電線２００が液密に挿通される。各電線密着孔４２の内面には、複数条の内周リップ４３が周方向に形成されている。各内周リップ４３は、電線２００の外面に弾性的に密着される。また、ゴム栓本体部４１の外面には、複数条の外周リップ４４が周方向に形成されている。各外周リップ４４は、収容凹部１１の内壁に弾性的に密着される。
【００２６】
また、一括ゴム栓４０の幅方向両端部には、一対のロック片挿通孔４５が開口して形成されている。各ロック片挿通孔４５は、断面円形をなし、各電線密着孔４２よりも大きい開口径を有している。各ロック片挿通孔４５には、ホルダ５０のロック片５９（後述する）が挿通可能とされている。なお、各ロック片挿通孔４５の内面には、複数条の内周リップ４６が周方向に形成されている。
【００２７】
サブハウジング３１の後方には、一括ゴム栓４０を間に挟んでホルダ５０が配置される。ホルダ５０は合成樹脂製であって、全体としてキャップ状をなし、サブハウジング３１よりも外側に一回り大きくされている。このホルダ５０は、図７及び図８に示すように、幅方向に細長いホルダ本体部５１と、ホルダ本体部５１の周縁から前方に突出する筒部５２とからなり、その内部に、一括ゴム栓４０を収容可能なゴム栓収容部５３が形成されている。
【００２８】
筒部５２の外面には、図５及び図６に示すように、複数のリブ５４が突出して形成されている。各リブ５４は、筒部５２の前端から後方へ向けて前後方向に延出する形態とされている。そして、各リブ５４は、対応するリブ受け溝２１又は凹溝２２に挿入可能とされている。各リブ５４の配設位置は、サブコネクタ３０毎に異なっている。
【００２９】
ホルダ本体部５１は、収容凹部１１に対応する外縁形状を有している。ホルダ本体部５１の外面の上下両角部のうち、一方の角部は、収容凹部１１の第一曲面部１２と対応する第三曲面部５５とされ、他方の角部が収容凹部１１の第二曲面部１３と対応する第四曲面部５６とされる。
【００３０】
ホルダ本体部５１には、各キャビティ３２及び各電線密着孔４２と対応する位置に、複数の電線挿通孔５７が開口して形成されている。各電線挿通孔５７には、各端子金具１００に接続された電線２００が遊嵌状態で挿通される。
【００３１】
また、ホルダ本体部５１の前面には、肉盛り部５８が筒部５２内に突出して形成されている。各電線挿通孔５７は、肉盛り部５８の内部を貫通する形態とされている。肉盛り部５８の前面には、各電線挿通孔５７を挟んだ幅方向両側に、一対のロック片５９が突出して形成されている。各ロック片５９は、各ロック片挿通孔４５に嵌合可能な円柱状をなし、肉盛り部５８との連結部位を支点として内外に撓み変形可能とされている。各ロック片５９の前端部は、筒部５２の前端よりも前方に位置し、その内面に、ロック部６０が形成されている。
【００３２】
ロック部６０の前面には、テーパ状の案内面６１が形成されている。また、ロック部６０の後面には、オーバーハング状の係止面６２が形成されている。係止面６２は、ロック片５９の内面に切り欠き形成された凹所６３によって成形される。
【００３３】
各ロック片５９の前端は、互いに前後方向に位置ずれして配置されている。この場合、一方のロック片５９Ａの前端は、他方のロック片５９Ｂの前端よりも前方に配置されている。また、各ロック片５９のロック部６０の後端は、前後方向について互いに同じ位置に配置されている。このため、一方のロック片５９Ａのロック部６０は、他方のロック片５９Ｂのロック部６０よりも前後寸法（突出寸法）が長くされている。
【００３４】
なお、一方のロック片５９Ａのロック部６０は、一方のロック受け部３７Ａに適合して嵌合可能な大きさを有し、他方のロック片５９Ｂのロック部６０は、他方のロック受け部３７Ｂに適合して嵌合可能な大きさを有している。したがって、一方のロック片５９Ａのロック部６０は、他方のロック受け部３７Ｂに嵌合不能とされるが、他方のロック片５９Ｂのロック部６０は、一方のロック受け部３７Ａに嵌合可能とされる。
【００３５】
続いて電線カバー７０について説明すると、電線カバー７０は同じく合成樹脂製であって、全体としてキャップ状をなしている。この電線カバー７０は、図１４に示すように、ボディハウジング１０の後面と対向する背板７１と、背板７１の両端縁から前方に突出する一対の側板７２とを有している。電線カバー７０の幅方向一側は側板７２によって閉止され、電線カバー７０の幅方向他側は開放されている。電線カバー７０は、サブコネクタ３０の後面から引き出された各電線２００を覆うようにしてボディハウジング１０に装着される。電線カバー７０がボディハウジング１０に装着されると、各電線２００が、背板７１によって強制的に幅方向一側へ屈曲され、さらに電線カバー７０の外側に導出される。
【００３６】
各側板７２の前縁には、幅方向に一対ずつのロック脚７３が突出して形成されている。各ロック脚７３は、各側板７２の前縁に開口する一対のスリット７４間において撓み可能に形成されている。各ロック脚７３の内部には、ロック孔７５が開口して形成されている。また、各側板７２の前縁には、各ロック脚７３よりも幅方向両端寄りの位置に、幅方向に一対ずつの突片７７が突出して形成されている。各突片７７は、略矩形板状をなし、その前端がロック脚７３の前端とほぼ同じ位置に揃えられている。また、各突片７７は、各ロック脚７３よりも厚肉とされ、実質的に撓み変形不能とされている。そして、各突片７７は、側板７２の内側に前後方向に沿って配置され、側板７２の厚み方向について各ロック脚７３と位置ずれして配置されている。
【００３７】
次に、本実施形態に係るコネクタの組み付け方法及び作用効果について説明する。
まず、サブコネクタ３０の後面から引き出される各電線２００が一括ゴム栓４０の各電線密着孔４２及びホルダ５０の各電線挿通孔５７に挿入される。続いて、ホルダ５０のゴム栓収容部５３に一括ゴム栓４０が収容された状態で、ホルダ５０がサブハウジング３１に装着される。装着の過程では、ロック部６０の案内面６１がガイド溝３４の内面における壁部３９に当接してロック片５９が外側に撓み変形される。ホルダ５０が正規装着されると、図４に示すように、ロック片５９が弾性的に復帰して、ロック部６０が対応するロック受け部３７に嵌り、ロック部６０の係止面６２がロック受け部３７の後縁に係止可能に配置される。これにより、ホルダ５０がハウジングに保持される。このとき、一括ゴム栓４０の前面がサブハウジング３１の後面に密着するとともに、一括ゴム栓４０の後面がホルダ５０の肉盛り部５８の前面に密着する。
【００３８】
上記のように、サブハウジング３１に対してホルダ５０が正規の装着姿勢をとる場合には、一方のロック片５９Ａのロック部６０が一方のロック受け部３７Ａに嵌合するとともに、他方のロック片５９Ｂのロック部６０が他方のロック受け部３７Ｂに嵌合する。これに対し、図１３に示すように、サブハウジング３１に対してホルダ５０が不正な姿勢（正規姿勢から反転した姿勢）をとる場合には、他方のロック片５９Ｂのロック部６０が一方のロック受け部３７Ａに嵌合するものの、一方のロック片５９Ａのロック部６０が他方のロック受け部３７Ｂに嵌合せず、壁部３９に乗り上げられたままの状態となる。
【００３９】
また、サブハウジング３１に対してホルダ５０が不正な姿勢をとる場合には、一方のロック片５９Ａのロック部６０が別の壁部３８に干渉して、一方のロック片５９Ａがそれ以上前方に押し込まれるのが阻止される。したがって、ホルダ５０が一方のロック片５９Ａ側でハウジングに係止されることがなく、ホルダ５０のサブハウジング３１からの離脱が許容される。さらに、サブハウジング３１に対してホルダ５０が不正な姿勢をとる場合には、ホルダ５０がサブハウジング３１に対して斜めに浮いた状態となり、かつ一方のロック片５９Ａの前端角部がサブハウジング３１の外面から突出して配置される。よって、この状態を目視で確認することにより、ホルダ５０が不正な姿勢をとっていることを確実に知ることができる。
【００４０】
サブハウジング３１に対してホルダ５０が正規装着されることにより、サブコネクタ３０が構成される。続いて、このサブコネクタ３０が対応する収容凹部１１に収容される。各リブ５４が対応するリブ受け溝２１内又は凹溝２２内に挿入されることで、サブコネクタ３０が本来とは異なる収容凹部１１に収容されるのが一次的に防止される。このとき、図１に示すように、各リブ５４は、リブ受け溝２１内にほぼ隙間なく嵌合され、あるいは、凹溝２２の幅方向両端部に離間して挿入される。つまり、凹溝２２内では、各リブ５４間に隙間が空いている。
【００４１】
上記の場合に、サブコネクタ３０が対応する収容凹部１１に対して正規の姿勢で収容されていると、ホルダ本体部５１が収容凹部１１内に嵌合し、第三曲面部５５が第一曲面部１２に沿って配置されるとともに、第四曲面部５６が第二曲面部１３に沿って配置される。これに対し、サブコネクタ３０が対応する収容凹部１１に対して正逆反転した姿勢で収容されようとすると、第四曲面部５６が第一曲面部１２に干渉し、サブコネクタ３０のそれ以上の挿入動作が停止される。このように、本実施形態によれば、第一〜第四曲面部１２、１３、５５、５６が逆挿防止部として機能するため、サブコネクタ３０が収容凹部１１に逆挿入されるのが防止される。
【００４２】
続いて、図１４から図１５にかけて示すように、ボディハウジング１０に対して後方から電線カバー７０が被せ付けられる。電線カバー７０がボディハウジング１０に装着されると、各ロック脚７３のロック孔７５に対応するカバーロック部２３が弾性的に嵌り、電線カバー７０がボディハウジング１０に抜け止め状態で保持される。また、電線カバー７０がボディハウジング１０に装着されると、各突片７７が対応する凹溝２２内に挿入される。この場合、収容凹部１１に連通する凹溝２２内には、突片７７が各リブ５４と並んで配置され、詳しくは、突片７７が各リブ５４間の隙間に配置される。各突片７７が凹溝２２内に挿入されることにより、電線カバー７０の各側板７２が外側に拡開変形するのが回避される。つまり、各突片７７によって電線カバー７０の開き止めがなされる。
【００４３】
ところで、収容凹部１１内には、この収容凹部１１に対応するサブコネクタ３０以外に、他のサブコネクタ３０Ｂも収容され得る。例えば、図１に示す場合、上段の幅方向一側の収容凹部１１Ａには、本来は上段の幅方向中央部の収容凹部１１Ｂに収容されるべき他のサブコネクタ３０Ｂが収容され得る。これは、凹溝２２が幅方向に細長いことに起因し、他のサブコネクタ３０Ｂのリブ５４も凹溝２２内に挿入されるためである。
【００４４】
しかるに本実施形態の場合、仮に、収容凹部１１Ａに他のサブコネクタ３０Ｂが誤って収容されたとしても、その状態で電線カバー７０がボディハウジング１０に装着されようとすると、突片７７が他のサブコネクタ３０Ｂのリブ５４（幅方向中央部のリブ５４Ｂ）と干渉し、突片７７のそれ以上の挿入動作が停止される。したがって、電線カバー７０の装着動作が停止されることをもって、サブコネクタ３０Ｂが本体とは異なる収容凹部１１Ａに収容されるのが二次的に防止される。
【００４５】
以上説明したように、本実施形態によれば、ホルダ５０における各ロック片５９の前端が前後方向に位置ずれして配置され、サブハウジング３１における各ロック受け部３７の前端が前後方向について異なる位置に配置され、サブハウジング３１に対してホルダ５０が不正な装着姿勢をとる場合には、一方のロック片５９Ａのロック部６０が対応するロック受け部３７Ａに嵌合することができず、ホルダ５０がサブハウジング３１から離脱可能となっているため、ホルダ５０が不正な装着姿勢のままサブハウジング３１に保持されることがない。したがって、サブハウジング３１に対するホルダ５０の誤装着が防止される。
【００４６】
また、サブハウジング３１に対してホルダ５０が不正な装着姿勢をとる場合に、ホルダ５０がサブハウジング３１に対して正規の装着位置まで押し込まれると、一方のロック片５９Ａがサブハウジング３１の壁部３９に乗り上げられた状態になるため、その乗り上げ状態を目視で確認することにより、ホルダ５０が不正な装着姿勢をとっていることを知ることができる。
【００４７】
さらに、壁部３９に乗り上げられた一方のロック片５９Ａが別の壁部３８よりも外側に突出して配置されるため、ホルダ５０が不正な装着姿勢をとっていることをより明りょうに視認できる。
【００４８】
また、本実施形態によれば、次の効果を奏し得る。
リブ５４が凹溝２２内に挿入されることにより、サブコネクタ３０が本来とは異なる収容凹部１１に収容され得るものの、その状態でボディハウジング１０に電線カバー７０が装着されようとすると、凹溝２２内に挿入されたリブ５４に突片７７が干渉することで、ボディハウジング１０に対する電線カバー７０の装着動作が停止されるため、電線カバー７０が装着不能になることをもってサブコネクタ３０が誤組付け状態にあることを確実に知ることができる。また、サブコネクタ３０が正規の装着姿勢をとる場合は、凹溝２２がリブ５４と突片７７とで共用されるため、ボディハウジング１０の構成が簡素化される。
【００４９】
また、サブコネクタ３０のホルダ５０の外面と収容凹部１１の内面とに逆挿防止部としての第一〜第四曲面部１２、１３、５５、５６が形成されているため、サブコネクタ３０が正逆反転した姿勢で収容凹部１１に収容される事態が回避される。
【００５０】
＜他の実施形態＞
本発明は上記記述及び図面によって説明した実施形態に限定されるものではなく、例えば次のような実施形態も本発明の技術的範囲に含まれる。
（１）上記実施形態とは逆に、ロック受け部が突形状とされ、ロック部がロック受け部を嵌合可能な溝形状とされていてもよい。
（２）ロック片がホルダに三つ以上形成され、ロック受け部がハウジングに三つ以上形成されていてもよい。
（３）リブがサブハウジングに形成されていてもよい。
【符号の説明】
【００５１】
１０…ボディハウジング
１１…収容凹部
１２…第一曲面部
１３…第二曲面部
２２…凹溝
３０…サブコネクタ
３１…サブハウジング（ハウジング）
３２…キャビティ
３７…ロック受け部
３８…別の壁部
３９…壁部
４０…一括ゴム栓
５０…ホルダ
５４…リブ
５５…第三曲面部
５６…第四曲面部
５７…電線挿通孔
５８…ロック片
６０…ロック部
７０…電線カバー
７７…突片
１００…端子金具
２００…電線
【図１】
0005454446.tif 000002
【図２】
0005454446.tif 000003
【図３】
0005454446.tif 000004
【図４】
0005454446.tif 000005
【図５】
0005454446.tif 000006
【図６】
0005454446.tif 000007
【図７】
0005454446.tif 000008
【図８】
0005454446.tif 000009
【図９】
0005454446.tif 000010
【図１０】
0005454446.tif 000011
【図１１】
0005454446.tif 000012
【図１２】
0005454446.tif 000013
【図１３】
0005454446.tif 000014
【図１４】
0005454446.tif 000015
【図１５】
0005454446.tif 000016